(57)【特許請求の範囲】
【請求項１】
回転工具のチャックを保持する第１保持手段およびソケット本体を保持する第２保持手段を両端に備える支持体を備え、
少なくとも第２保持手段が螺合によってその内径を小さくしてソケット本体を把持する機構を有することを特徴とするソケット落下防止治具。
【請求項２】
第１保持手段が螺合によってその内径を小さくして回転工具のチャックを把持する機構を有することを特徴とする請求項１に記載のソケット落下防止治具。
【請求項３】
ソケット本体または回転工具のチャックの把持手段が、ゴムリングを軸方向に押圧することによりゴムリングの内径を小さくする機構を有することを特徴とする請求項１または２に記載のソケット落下防止治具。
【請求項４】
回転工具のチャック先端に設けられたねじ山に螺合される第１保持手段およびソケット本体を保持する第２保持手段を両端に備える支持体を備え、
少なくとも第２保持手段が螺合によってその内径を小さくしてソケット本体を把持する機構を有することを特徴とするソケット落下防止治具。
【発明の詳細な説明】
【技術分野】
【０００１】
本発明は、回転工具用ソケット（インパクトドライバーなどの回転工具に取り付けることができるソケットビット類。以下、単に「ソケット」という。）の脱落を防止するための治具に関する。
【背景技術】
【０００２】
従来、ボルトやナットの締め付けは、ラチェット機能などを利用した手工具を使用したり、インパクトレンチにソケットを取付けたりして行われていた。これは、ソケットには締め付け時に大きなトルクが必要となるので、従来のインパクトドライバーでは出力が不足していたからである。しかし、近年、インパクトドライバーの出力が飛躍的に向上しているとともに、扱いやすい充電式インパクトドライバーに使用されるバッテリーの長寿命化も手伝って、インパクトドライバーに取付け可能なソケットが人気となっている。
【０００３】
特許文献１および２では、従来のソケットは、ソケット部を主体にした材料選定であることから、耐摩耗性および硬度が低く、軸棒の対角部の摩損が早いこと、耐衝撃性が低いために折損、ねじれ、亀裂、破断等のダメージを受けることなどの従来技術の課題が挙げられている。これらの文献に記載の発明では、ソケット自体の構成を調整して、軸棒の抜け止めや局部的なダメージを防止することができるようにされている。
【先行技術文献】
【特許文献】
【０００４】
【特許文献１】特許第２５０１７４４号公報
【特許文献２】特開２００６−１７５５２３号公報
【発明の概要】
【発明が解決しようとする課題】
【０００５】
上記の特許文献１および２に記載されるように、軸棒の破損を防止するべく、ソケット自体の構成を調整したものについては種々開示されているが、従来、ソケットがインパクトドライバーから外れた場合の対策はなされていない。しかし、例えば、軸棒（「ドライバービット」とも呼ばれる。）が折れるなど破損することもある。また、ドライバービットを着脱自在にしたソケットでは、ドライバービットを着脱するための手段が破損することも考えられる。この場合の作業性、他の作業者への危険性を考慮すると、その対策が必要不可欠である。
【０００６】
図１（ａ）および（ｂ）に示すように、通常、ソケット本体３０を回転工具４０に装着するときには、回転工具４０のチャック４１を図中矢印の方向に押し出しながら、ドライバービット３２をチャックに挿入することによって、ソケット本体３０が回転工具４０に装着される。図１（ｂ）に示す状態で、ボルト／ナットの締め付け等が行われる。
【０００７】
図２〜図４に例示するように、ソケットには様々な種類のものがある。図２に示す例は、ソケット本体３０に周方向に溝加工を施したスリーブ３１を有し、スリーブ３１を図中矢印の方向に押し出した状態で、ドライバービット３２をスリーブ３１に挿入するものである。このソケットは、ドライバービット３２の交換が可能である。図３に示す例も、図２の例と同様、ドライバービット３２の交換が可能なソケットの例であるが、スリーブ３１にメッシュ加工が施されたものである。図４に示す例は、ドライバービット３２が固定されたソケットである。そのため、スリーブに該当する部材がない。
【０００８】
本発明は、これらのソケットを装着してボルト／ナットの締め付けを行っている最中にドライバービットが破損した場合であっても、ソケットがインパクトドライバーから脱落するのを防止する治具を提供することを目的としている。
【課題を解決するための手段】
【０００９】
本発明は、下記の（１）〜（４）に示すソケット落下防止治具を要旨とする。
【００１０】
（１）回転工具のチャックを保持する第１保持手段およびソケット本体を保持する第２保持手段を両端に備える支持体を備え、少なくとも第２保持手段が螺合によってその内径を小さくしてソケット本体を把持する機構を有することを特徴とするソケット落下防止治具。
【００１１】
（２）第１保持手段が螺合によってその内径を小さくして回転工具のチャックを把持する機構を有することを特徴とする上記（１）のソケット落下防止治具。
【００１２】
（３）ソケット本体または回転工具のチャックの把持手段が、ゴムリングを軸方向に押圧することによりゴムリングの内径を小さくする機構を有することを特徴とする上記（１）または（２）のソケット落下防止治具。
【００１３】
（４）回転工具のチャック先端に設けられたねじ山に螺合される第１保持手段およびソケット本体を保持する第２保持手段を両端に備える支持体を備え、
少なくとも第２保持手段が螺合によってその内径を小さくしてソケット本体を把持する機構を有することを特徴とするソケット落下防止治具。
【発明の効果】
【００１４】
本発明によれば、万が一ソケットがインパクトドライバーから外れた場合においても、ソケットが脱落することはない。このため、高所での作業をする場合の作業性を高めると共に、ソケット脱落による危険を回避することができる。
【図面の簡単な説明】
【００１５】
【図１】ソケットの回転工具への取り付け方法を示す図                                  （ａ）装着前の状態                                                          （ｂ）装着後の状態
【図２】ソケットの例を示す図
【図３】ソケットの他の例を示す図
【図４】ソケットの他の例を示す図
【図５】本発明に係るソケット落下防止治具の例を示す図
【図６】本発明に係るソケット落下防止治具の例を示す分離展開図
【図７】本発明に係るソケット落下防止治具の例を示す断面図
【図８】本発明に係るソケット落下防止治具の回転工具への取り付け例を示す図            （ａ）装着前の状態                                                          （ｂ）装着途中の状態                                                        （ｃ）装着後の状態
【図９】本発明に係るソケット落下防止治具のソケット本体への取り付け例を示す図        （ａ）装着途中の状態                                                        （ｂ）装着後の状態
【図１０】本発明に係るソケット落下防止治具の他の例を示す図
【図１１】図１０に示す本発明に係るソケット落下防止治具のソケット本体への取り付け例を示す図                                                                      （ａ）装着前の状態                                                          （ｂ）装着後の状態
【発明を実施するための形態】
【００１６】
図５に例示するように、本発明に係るソケット落下防止治具１０は、回転工具のチャック（図示省略）を保持する第１保持手段１２およびソケット本体（図示省略）を保持する第２保持手段１３を両端に備える支持体１１を備えるものである。そして、本発明に係るソケット落下防止治具１０は、少なくとも第２保持手段１３がその内径を小さくすることによりソケット本体（図示省略）を把持する機構を有する。
【００１７】
図６および図７に例示するように、本発明に係るソケット落下防止治具１０の支持体１１は、その両端にそれぞれねじ山（雄ねじ）１６、１７を備える。一方、第１保持手段１２および第２保持手段１３は、それぞれねじ山（雌ねじ）１８、１９を備える。第１保持手段１２および第２保持手段１３の内面の開口側端部には、それぞれ溝２０、２１を備える。そして、溝２０、２１には、それぞれゴムリングなどの弾性体１４、１５が嵌め込まれる。本発明に係るソケット落下防止治具１０は、支持体１１のねじ山１６に第１保持手段１２のねじ山１８と螺合され、支持体１１のねじ山１７に第２保持手段１３のねじ山１９と螺合された状態で使用される。
【００１８】
回転工具の使用中にねじが緩むのを防止する観点からは、支持体１１の第２保持手段１３側のねじ山１７および第２保持手段１３のねじ山１９は、支持体１１の第１保持手段１２側のねじ山１６および第１保持手段１２のねじ山１８とは逆方向にねじ加工されていることが好ましい。特に、支持体１１の第１保持手段１２側のねじ山１６および第１保持手段１２のねじ山１８は、逆ねじ加工が施されていることが好ましい。
【００１９】
図８（ａ）に例示するように、本発明に係るソケット落下防止治具１０は、その第１保持手段１２と回転工具４０のチャック４１とを対向させ、その状態で、図８（ｂ）に例示するように、チャック４１を第１保持手段１２に挿入する。この状態では、ソケット落下防止治具１０は、容易に着脱可能な状態である。図８（ｃ）に例示するように、第１保持手段１２を相対的に回転させることによってねじを締め付けると、第１保持手段の溝に嵌め込まれた弾性体１４が変形し、その内径が小さくなるので、ソケット落下防止治具１０の第１保持手段１２が回転工具４０のチャック４１の周囲を強固に把持する。この状態では着脱できなくなる。
【００２０】
次に、図９（ａ）に例示するように、本発明に係るソケット落下防止治具１０は、ソケット本体３０のスリーブ３１を第２保持手段１３に挿入する。図９（ｂ）に例示するように、第２保持手段１３を相対的に回転させることによってねじを締め付けると、第２保持手段の溝に嵌め込まれた弾性体１５が変形し、その内径が小さくなるので、ソケット落下防止治具１０の第２保持手段１３がソケット本体３０のスリーブ３１の周囲を強固に把持する。この状態にすれば、万が一回転工具の使用中にドライバービットが破損した場合であっても、ソケットが落下することはない。
【００２１】
以上、主として、ソケット本体３０または回転工具４０のチャック４１を把持する手段が、ゴムリングを用いて、ソケットの軸方向に押圧することによりゴムリングの内径を小さくする機構を有する例について述べたが、第２保持手段、または、第１保持手段および第２保持手段の内径の調整が可能な構成であれば、ゴムリング以外のものを用いても良い。例えば、リングばね（Ｃリング）、板ばね、その他の弾性体を用いることもできるし、テーパー状ねじ構造としても良い。また、通常のチャック構造に用いられるコイルばねと球との組み合わせを用いることもできる。
【００２２】
ただし、回転工具４０のチャック４１の外径は、メーカーによってほとんど変わらないが、ソケットのスリーブのサイズや有無によって、ソケット本体を装着する側の第２保持手段については、その内径に多様性を要する。特に、スリーブがない構成のソケットを装着する場合には、リングばねなどの金属材料を基材とする弾性体では強固に把持することが困難である。よって、ソケット本体または回転工具のチャックを把持する手段は、ゴムリングを用いる構成が最も好ましい。
【００２３】
図１０および図１１には、第１保持手段が回転工具のチャックと一体形成されているソケット落下防止治具の例を示している。図１０に示すように、この例では、回転工具４０のチャック４１の先に円筒部の外面にねじ切り加工を施したソケット落下防止治具１０、即ち、第１保持手段が回転工具のチャックと一体形成されているソケット落下防止治具が用いられる。第２保持手段１３の内面には、ねじ山および溝が設けられており、第２保持手段１３の溝にゴムなどの弾性体１５が嵌め込まれていることは、前述の例と同様である。
【００２４】
図１１（ａ）に示すように、図中矢印の方向に第１保持手段を一体形成したチャック４１を押し出した状態でソケット３０と対向し、ドライバービットをチャック４１に差し込むことで、ソケット３０が回転工具４０に取り付けられる。そして、図１１（ｂ）に示すように、第２保持手段１３を相対的に回転させることによってねじを締め付けると、第２保持手段の溝に嵌め込まれた弾性体１５が変形し、その内径が小さくなるので、ソケット落下防止治具１０の第２保持手段１３がソケット本体３０のスリーブ３１の周囲を強固に把持する。
【００２５】
ソケット落下防止治具の材質については、回転工具の使用時の衝撃に耐えうる材質であれば、特に制約はない。例えば、ステンレス鋼などの金属材料、プラスチック、強化ゴムなど公知の材料を用いることができる。
【産業上の利用可能性】
【００２６】
本発明によれば、万が一ソケットがインパクトドライバーから外れた場合においても、ソケットが脱落することはない。このため、高所での作業をする場合の作業性を高めると共に、ソケット脱落による危険を回避することができる。
【符号の説明】
【００２７】
１０  本発明に係るソケット落下防止治具
１２  第１保持手段
１３  第２保持手段
１４、１５  弾性体
１６、１７  ねじ山（雄ねじ）
１８、１９  ねじ山（雌ねじ）
２０、２１  溝
３０  ソケット本体
３１  スリーブ
３２  ドライバービット
４０  回転工具
４１  チャック
【図１】
0005406758.tif 000002
【図２】
0005406758.tif 000003
【図３】
0005406758.tif 000004
【図４】
0005406758.tif 000005
【図５】
0005406758.tif 000006
【図６】
0005406758.tif 000007
【図７】
0005406758.tif 000008
【図８】
0005406758.tif 000009
【図９】
0005406758.tif 000010
【図１０】
0005406758.tif 000011
【図１１】
0005406758.tif 000012